Podtech/llm-jp-corpus-v4-ja_patent huggingface dataset:
(57)【要約】      （修正有）【課題】実用的かつ安全的に全ての人が使用できる、包丁、ナイフ。【解決手段】刃４の背みね中央部分に発光体１ＬＥＤ照明を使用する。柄２の部分に発光体１と連動する補足機能として音及び振動機能を追加する。【選択図】図２
2017136329.tif 000002
【特許請求の範囲】
【請求項１】
調理道具  食事器具  及び  装飾品などとしての  包丁  ナイフ  全ての物の背  みね部分中央部分に照明躯体に発光体が付いた物全般とする
ナイフ  包丁の刃の形状は  限定しないが  背  みね  中央の部分に照明躯体  ＬＥＤ発光体が付いた物が全てとする
【請求項２】
名称に関して
英名は  ＬＩＧＨＴ  ＫＮＩＦＥ
ＬＥＤ  ＫＮＩＦＥ
和名は  照明付き包丁  ナイフ
ＬＥＤ包丁  ナイフ
ライト包丁  ナイフ
など照明  光を連想させる全ての物とする
【請求項３】
補足機能として発光体と連動しての  音機能  振動機能がついた物全般も同様とする
【発明の詳細な説明】
【技術分野】
【０００１】本発明は、一般的に使用する道具  及び装飾品として利用する包丁  ナイフの利便性に関する
【背景技術】
【０００２】従来の包丁  ナイフは、道具として  物を切るための物である  特に安全性などに留意してる物ではない【０００３】以下  図２により従来の包丁  ナイフについて説明する  図２において  ４は物を切断するだけの部分である【０００４】２は手で持つ部分である
【先行技術文献】
【特許文献】
【０００５】
【特許文献１】  特開２０１５−１１２３６４
【非特許文献】
【０００６】
【非特許文献１】  ＣＣＣメディアハウス刊  ニューズウィーク日本版  ＳＴＡＲ  ＷＡＲＳ表紙
【発明の概要】
【発明が解決しようとする課題】
【０００７】以上に述べた従来の包丁  ナイフでは  視聴覚障害がある方の使用や安全性の確保  暗所での作業に向いていなかった【０００８】本発明は  このような従来の問題を解決しようとするものであり実用的かつ安全的に全ての人が使用できる  包丁  ナイフを実現する事を目的とする
【課題を解決するための手段】
【０００９】そして  本発明は上記目的を達成するために  刃の部分のみね  背  中央部に照明躯体を設け内部に  ＬＥＤ発光体を設置し暗所での作業のを照明により補助するものである【００１０】また  その他の課題解決は  照明と連動して  補助機能として音  振動等を設ける事により視聴覚障害がある方や子供等が誤って事故にならないように安全に配慮して柄の内部にスイッチなどを設けた構成としたものである【００１１】上記の課題解決手段に寄る作用は次の事である  すなわち刃の背  みね中央等の部分に発光体を設ける事により暗所での作業に利便性をはかったり  安全性を確保できる【００１２】またその他の課題解決による作用は  音振動機能を設けることで  視聴覚障害者にも使用しやすくなる
【発明の効果】
【００１３】上述したように本発明の包丁  ナイフは  照明機能がある事により  暗所での作業をしやすくするとともに  安全性を確保できるものである【００１４】また  補助機関として  音  振動機能をそなえることにより更なる安全性を高める効果を発揮する
【図面の簡単な説明】
【００１５】
【図１】  本発明の形状パターン例及び発光体ＬＥＤの色の例
【図２】  本発明の実施形態を示す具体的構造説明  （Ａ）平面図  （Ｂ）上面図
【発明を実施するための形態】
【００１６】以下  本説明の実施の形態を図１及び図２に基づいて説明する
【００１７】図１及び図２においての  ４の刃の部分に関しては従来同様  素材に関しては  鉄  ステンレス等金属  セラミックなどとする  切れ方  サイズ形は従来同様  多種多様である  ただし出来れば通常よりも  みね  背部分の幅は広めにとることが望ましい
２の柄の部分の内部に電源などが設置されている  ３はスイッチである。図１に於いて設置場所は側部  底部等意匠上  特に定めてはいない
５の音声出力部分に関しては  補足機能として付属させる場合のみ  ２の柄の部分に設置される  １はＬＥＤ発光体  照明躯体部分であり  ４及び２と合体している
【００１８】４は刃部分である  素材は従来同様  金属  セラミック等で形成されている
装飾品としても製造するので切れ方は多種多様で特に問わない  出来れば抗菌使用が望ましい
【００１９】３はスイッチ部分である  ２の側面  底部などに付属している  完全防水仕様とする
３を押す事により１の照明部分の点灯ができるものとなる  光量の変化も出来ればなお望ましい
なお  補助機能として  ５音声振動機能を２に付属させる場合は１の発光と連動するための切り替え機能も設置される
【００２０】２は柄本体部分である  調理器具としても使用するため  水洗いも考え完全防水仕様とする
素材に関しては特に指定はないが  金属等を躯体とするのが望ましい  外郭に関しては  ウレタン  ゴムなどでコーティングすればなお良い  食洗機対応なども考え高温にも耐えられる仕様が望ましい  柄の部分の内部に電子部品が設置される  電源は電池等  内部に設置  ３及び補助機能として５が付属される場合は２本体に付属される事となる
【００２１】１は照明部躯体である  光源としてはＬＥＤ発光体等とする
照明部躯体は  図１及び図２の１として表記されているが設置場所は２のみね  背  中央部分である  背に設置した時の配置は図２の（Ａ）（Ｂ）を参照とする
ＬＥＤ発光体の色は白色から赤  青  緑等全てにわたる  照度の基準は特に定義しないが  作業  認識できる最低限の照度は確保する
照明躯体は内部が空洞でありその内部に光源機能を有するものとする
照明躯体本体は完全防水仕様とし  素材としては硬質ガラス  硬質アクリル等を用いる  強度も保持しながら、高温  薬品等  腐食等に強い素材が望ましい
３により点灯する
【００２２】上述の事より  １と２と３と４と５は完全防水仕様とした上で各部分は完全密着させる
【００２３】本発明は上記事柄より実用性をもったユニバーサルデザイン物である  視聴覚障害の方や子供の安全性にも配慮している
なお別の使用目的  装飾品としては４部分は切れなくてもよい  例えば図１の中央部に照明躯体があるものは  エンターテイメントの表現としての器具と使用もできるものとする  ウエディングケーキ入刀時の器具等  発光する事によりエンターテイメント性も確保できる
【符号の説明】
【００２４】１  発光体  躯体  ＬＥＤ等部分
２  柄  本体部分
３  スイッチ部分
４  刃  部分
５  音声出力部分  補足機能として付属させる場合
（Ａ）  平面図
（Ｂ）  上面図
【図１】
2017136329.tif 000003
【図２】
2017136329.tif 000004
(57)【要約】      （修正有）【課題】着底後の姿勢が安定し、ルアーの後部フックが底に接触しにくく、根掛りを低減できるルアーの提供。【解決手段】リップ１がルアーのボディーの最前部と最後部を結ぶ線２に対して上向きに伸びており、ルアーのボディーの最先端部に錘が内蔵され、それより後部は水より比重が軽く、その浮力が、ルアー底部をルアー着底部が浮く様に調節されたルアーとすることで、魚にアピールする揺らぎをもたせてしっかりと浮かせたり沈めたりが可能で、着低時の姿勢を安定させ、魚の警戒感を減少させ、着低時にルアー後部が浮き、後部フックの針先が底に接触しにくいことで根掛りの可能性を低減できる。【選択図】図１
2017136051.tif 000002
【特許請求の範囲】
【請求項１】
図１の様に、リップがルアー前方上部に位置し、ルアー最前部と最後部を結ぶ線に対して上向きに伸びているルアーにおいて、ルアーのボディーの最先端部に錘が内蔵され、それより後部は水より比重が軽く、その浮力で、ルアーの着底後に、ルアー後部が浮く様に調節されたルアー。
なお、着底とは、ルアー等の物体が、水に沈み、水の底に到達することとし、以降もこの意味で使用する。
【発明の詳細な説明】
【技術分野】
【０００１】
この発明は、魚を釣るための道具であるルアーに関するものである。
【背景技術】
【０００２】
寒い時期のルアーでのマス釣りに、ルアーを水の底に着底させては、少しラインでルアーを巻き上げてルアーを浮かすことを繰り返すデジマキやボトムバンピングと呼ばれる手法があり、図１の様に、リップがルアーのボディーの最前部と最後部を結ぶ線に対して上向きに伸びているルアーは、ルアーに魚にアピールする揺らぎをもたせてしっかりと浮かせたり沈めたりが可能で、その点でこの釣り方に適しているが、従来は、着底後、横向きになり、ルアー後部も底に接し、姿勢が不自然で、ルアー後部のフックの針先が底に接触することで根掛りの確立を増加させていた。
【先行技術文献】
【特許文献】
【０００３】
関連特許調査として２０１６年１月に、特許プラットフォームの特許、実用新案簡易検索にて、（プラグORバイブレーションORルアー）AND（（（ウエイトOR比重）AND(前OR後)）OR（（底ORボトム）AND姿勢））の組み合わせで検索し、抵触する案件は無かった。また、一部前例となる以下の案件が1件有った。
特開2003-204734  着底後、前を底に着けて後を浮かせる姿勢になる、特殊構造のプラグ
【発明の概要】
【発明が解決しようとする課題】
【０００４】
ルアーを水の底に着底させては、少しラインでルアーを巻き上げてルアーを浮かすことを繰り返す手法にて、ルアーに魚にアピールする揺らぎをもたせてしっかりと浮かせたり沈めたりが可能で、着低時の姿勢を安定させ、魚の警戒感を減少させ、着低時にルアー後部が浮き、後部フックの針先が底に接触しにくいことで根掛りの可能性を低減できるルアーとする。
【課題を解決するための手段】
【０００５】
図１の様に、リップがルアーのボディーの最前部と最後部を結ぶ線に対して上向きに伸びているルアーにおいて、ルアーボディーの最先端部に錘が内蔵され、それより後部は水より比重が軽く、その浮力でルアー着低時にルアー底部が浮く様に調節されたルアーとする。
【発明の効果】
【０００６】
図１の様に、リップがルアーのボディーの最前部と最後部を結ぶ線に対して上向きに伸びているルアーなので、着低状態から少しラインを引くだけで、リップの抵抗でルアーが浮きやすく、リップの抵抗で魚にアピールする有効なアクションができ、ルアーボディーの最先端部に錘が内蔵され、それより後部は水より比重が軽く、その浮力でルアー着低時に、ルアー後部が浮く様に調節されたルアーとすることで、ルアーを着底させては、少しラインを引きルアーを浮かすことを繰り返す手法にて、ルアーに魚にアピールする揺らぎをもたせてしっかりと浮かせたり沈めたりが可能で、着低時の姿勢を安定させ、魚の警戒感を減少させ、着低時にルアー後部が浮き、後部フックの針先が底に接触しにくいことで根掛りの可能性を低減できるルアーとする。
【発明を実施するための最良の形態】
【０００７】
図１の様に、リップがルアーのボディーの最前部と最後部を結ぶ線に対して上向きに伸びており、ルアーのボディーの最先端部に錘が内蔵され、それより後部は水より比重が軽く、その浮力が、ルアー底部をルアー着底部が浮く様に調節されたルアーを作製し、ルアーを水の底に着底させては、少しラインでルアーを巻き上げてルアーを浮かすことを繰り返す手法にて、ルアーに魚にアピールする揺らぎをもたせてしっかりと浮かせたり沈めたりが可能で、着低時の姿勢を安定させ、着低時にルアー後部が浮き、後部フックの針先が底に接触しにくいことを目視にて確認した。
又、そのルアーにて冬にマス釣りを行い、根掛りが少なく、実際に良く釣れることを確認した。
【図面の簡単な説明】
【０００８】
【図１】リップがルアーのボディーの最前部と最後部を結ぶ線に対して上向きに伸びているルアー
【符号の説明】
【０００９】
１    リップ
２    ルアーのボディーの最前部と最後部を結ぶ線
【図１】
2017136051.tif 000003
(57)【要約】      （修正有）【課題】生の玄米は、１日〜２日水に浸してから、白米に混ぜて炊いても玄米の外皮がゴマと同様で硬く胃では消化し難いが、胃で消化し易い玄米の提供。【解決手段】ポン菓子製造機の圧力釜で焦がし玄米にしたことにより、ポン菓子のように１００％膨張させずにつくりあげ、粉末化し、白米に少量入れて混ぜて炊いたときに昔の釜戸炊きと同様な香りあるご飯が炊き上がる焦がし玄米及びその製造方法。また、焦がし玄米そのままでも食べられる焦がし玄米。【選択図】なし【特許請求の範囲】
【請求項１】
ポン菓子製造機の圧力釜で、圧力と高熱をかける事で米油が出ることがわかった。この作り方の方法で、作った玄米は現在の他社の製品とは、違い簡単に粉末する事が出来る。生玄米とは違い、柔らかく食べやすく炊き上がる。
【発明の詳細な説明】
【技術分野】玄米を入れる前に、ポン菓子製造機にプロパンガスで圧力釜を熱します。
１２Ｖの電圧モーターで、製造機を回し釜の温度２５０度まで（時間１５分間）上げる為に回します。（温度に関しては、ポン菓子製造販売者調べ）
焦がし玄米製造工程
１．生玄米を２ｋｇ計量します。（写真あり）
２．温度が上がったところで、釜の蓋を開けます。（写真あり）
３．２ｋｇの玄米を入れます。（写真あり）
４．釜の中に２ｋｇ入れました。（写真あり）
５．釜の蓋（バルブ）を圧力が逃げないようにしっかり閉めます。（写真あり）
６．圧力メーター０ＭＰａ（圧力メーター写真あり）
７．圧力釜の下にある、プロパンガスのコンロに火をつけます。（写真あり）
８・コンロに火がついたら、１２Ｖバッテリーで、釜を回転させます。
回転と同時に［圧力］と［温度］が上がりだします。
温度は、２５０度、気圧を０．７ＭＰａにまで上げます。（時間１５分間）（写真あり）
９．気圧計を確認しながら、０．７ＭＰａに達した所で釜の火と回転を止めます。（写真あり）
１０．蓋（バルブ）を緩め、気圧計を確認し５秒かけて気圧を０．４ＭＰａまで下げます。この時、圧力と温度が下がるためバルブから熱風と圧力の出る音がします。（写真あり）
１１．気圧が０．４ＭＰａまで下がったら、釜の蓋（バルブ）をしっかり閉め直します。（写真あり）
１２．ポン菓子と同様に、ポン菓子製造機に網台に網を取り付ける（写真あり）
１３．木槌でツメ（蓋を開ける所）を叩きます。（写真あり）
１４．蓋（バルブ）が、開くと同時に白煙と爆発音が出ます。（写真あり）
１５．音と同時に網に焦がし玄米が、３分の１飛び出し、釜に３分の２残ります。釜を爆発させたあと、網を外してもまだ釜の（ツメ）の右側に白煙が出ています。この時、爆発により玄米の中にあった水分は無くなります。（写真あり）
１６．釜に残った焦がし玄米を、釜を斜めにバットの中に取り出します。（写真あり）
１７．網と釜の焦がし玄米を、容器（漬物ダル）に移し替えます。（写真あり）
１８．この時、ポン菓子製造機の釜中の温度と、吐き出された時の作業場との温度の高低差がある為、焦がし玄米から米油が滲んで出てきます。
１９．バットから容器（漬物ダル）に移し換えるとき米油が出ているためバットに焦がし玄米が張り付きます（写真あり）
２０．容器（漬物ダル）に移した焦がし玄米は、焦がし玄米と米油が分離されている為、容器（漬物ダル）を斜めにしても張り付いています。（写真あり）
２１．写真では判り難いですが、１分間揺すり焦がし玄米に米油を吸収させます。（写真あり）
２２．容器（漬物ダル）で５時間休ませます。（写真あり）
２３．容器（漬物ダル）で休ませて、４０度まで下がったらステンレス容器に移し替え冷蔵庫に入れて冷やして完成です。（写真あり）
２４．焦がし玄米袋詰め・・・・腸  美  人（写真あり）
２５．焦がし玄米は、粉末にすることが簡単に出来ます。
ヨーグルトに混ぜて食べることも出来ます。
ジューサーミキサー・コーヒーミルで簡単に出来ます。（写真あり）
２６．焦がし玄米を、炊飯器に入れるところです。（写真あり）
２７．炊き上がったら、白米と焦がしを混ぜればとても香りのよい粘りのある、焦がし玄米入りのご飯の出来上がりです。（写真あり）
２８．左は生玄米、右は焦がし玄米です。（写真あり）
［焦がし玄米の特徴］
生玄米に、高圧力釜で高熱と圧力をかけた事により、玄米の芯までよく焦げた事により生の玄米を白米に混ぜて炊くより、柔らかく粘りのある昔の釜戸で炊いたような美味しく香り良いご飯が炊き上がります。
冷凍したご飯と冷めたご飯を、電子レンジで温めなおしても炊き上げた時と、全く同じ状態で頂けます。
１．焦がすことで、栄養分は壊れない。
２．焦がすことで、ＲＢＡとＲＢＦの成分がある。
ＲＢＡとは、免疫を刺激しガンだけでなく、体全体の免疫力を高めガン予防になる。
ＲＢＦとは、ガンが自然死する仕組みのアポトーシスを出す力をもっている。（医学博士の見解）
３．焦がした玄米は、抗がん成分の多いものである事実を世間の人々に伝え、毎日の家庭での食卓で活かしてガンの緩和ケアと玄米食治療を組み合わせれば、よりよい延命効果が期待出来る。
４．女性に多い便秘症が（３０〜４０年）、治ったと多くの方から、御報告を頂きました。焦がし玄米を、食べ始めてから便秘薬を服用しないで済むようになったと喜ばれています。
玄米を食べた方から、薬代より安いと喜ばれております。
☆玄米を食べた方の、名前・住所・電話番号を数十名の記録もあります。大手宅配スーパーにて、現在販売中です。
［焦がし玄米の食べ方］
１．白米３合を計り水で研ぎ洗い。
２・白米３合に対し通常に水を入れる。
３．上記の１・２の作業が終わり次第、焦がし玄米、大匙３杯入れる。
更に、水を玄米の倍（大匙６杯）入れる。
透明のコップに、玄米３・水６入れてから、炊飯器に入れてもよい。
４．３の作業が終了後、炊飯器の炊飯ボタンを押し炊き上げる。
炊飯器から蒸気が、出始めると同時に焦がし玄米の昔ながらの香ばしい香りが漂います。
５・炊き上がりましたら、炊飯器の蓋をあけて上・下をよくかき混ぜて食べてください。
６・お粥にする時は、上記３番を３〜４時間前に作りおきして白米を炊くときに、白米と同時に入れお粥の炊き方で炊いていただくと柔らかくいただけます。
７．焦がし玄米を、粉末にすることも出来ます。家庭用コーヒーミル・ジューサーミキサーに付いている小型ミルでも簡単に粉砕出来ます。ヨーグルト・牛乳等、飲み物（味噌汁）と一緒に混ぜていただくことも出来ます。
［焦がし玄米の効能］
医学博士が、玄米の持つ抗がん作用を科学的に解明しガン患者に勧めたい。
玄米の持つ２種類の抗がん作用を世界で初めて科学的に解明。
※日本分析センター  分析試験成績書  平成２６年１１月２７日
※農業生産方式の導入の促進に関する法律（平成１１年法律第１１０号）
第４条第３項の規定の認定証    認定番号  県西第１６５０  号
作物  水稲
認定期間  Ｈ２５．２．２８〜Ｈ３０．２．２７
上記２つを一緒に添付いたします。
平成２６年５月に焦がし玄米での特許登録で、平成２７年１０月に拒絶を頂きましたが、改めて提出させて頂きました。
焦がし玄米の名前が使用不可能でしたら「釜戸炊き風味玄米」としての特許登録は可能でしょうか？
(57)【要約】      （修正有）【課題】磁石が方位を示す性質を魚釣り用ルアーの方向転換の動力として利用する磁石動力ルアーを提供する。【解決手段】ルアー本体（１）の下部中ほどに、空間を設け、蓋（３）に固定した磁石（２）をルアー本体（１）に取り付け、任意の方向に回転させて使用する。磁石のN極が北、磁石のS極が南に向く性質をルアーの方向を変える動力として釣糸を引いたり、緩めたして魚を誘う。【選択図】図１
2017136056.tif 000002
【特許請求の範囲】
【請求項１】
魚釣り用ルアーの内部に設けた、磁石が方位を示す性質をルアーの方向転換の動力として利用する磁石動力ルアー。
【発明の詳細な説明】
【技術分野】
【０００１】この発明は、魚釣り用ルアーに磁石を内蔵させ、磁力線に向く性質を利用した磁石動力ルアーに関するものである。
【背景技術】
【０００２】従来、磁石を動力として使用するルアーは存在しなかった。
【先行技術文献】
【特許文献】
【０００３】
【特許文献１】
【発明の概要】
【発明が解決しようとする課題】
【０００４】これは次のような欠点があった。
（イ）従来、ルアーに内蔵された磁石はオモリ等をくっつけるためのものでルアー本体を動かすものではなかった。
（ロ）従来、動力を内蔵するルアーは、電気モーターやゼンマイ等不自然な音を出す物であった。
本発明は、以上のような欠点をなくすためになされたものである。
【課題を解決するための手段】
【０００５】ルアー（１）に磁石（２）設け蓋（３）を設ける。
本発明は、以上の構成よりなる磁石動力ルアーである。
【発明の効果】
【０００６】（イ）磁石のＮ極が北Ｓ極が南を向く性質をルアーの方向を変える動力としている。
（ロ）磁石の力で動くので不自然な音を出すことがない。
【図面の簡単な説明】
【０００７】
【図１】本説明の断面図である。
【図２】本説明の平面図である。
【発明を実施するための形態】
【０００８】以下、本発明を実施するにための形態について説明する。
ルアー（１）の下部の中ほどに、空間を設ける。磁石（２）を蓋（３）に、固定する。
磁石（２）に取り付け蓋（３）をルアー（１）に、はめ込む。
本発明は、以上のような構造である。
これを使用するときは、任意の方向に蓋を回転させ、釣り糸を結んだルアーを投げ、釣り糸を引張り自分の方に向いたルアーを釣り糸を緩めることで任意の方向に、向かせればよい。魚を誘う時は、この動作を繰り返せばよい。
他の磁石の固定の仕方として、ルアーに直接磁石を埋め込んだ磁石動力ルアー。
【符号の説明】
【０００９】１  ルアー本体
２  磁石
３  蓋
【図１】
2017136056.tif 000003
【図２】
2017136056.tif 000004
(57)【要約】      （修正有）【課題】籾殻苗マットを乗用田植機の植え付け面（苗のせ台）に展開した場合、田植機の植え付け面に展開した苗代培土代替軽量苗籾殻マットロール苗の後端部と、追加した籾殻苗マット前端部との接合が不良となるのを防ぐ苗代培土代替軽量籾殻苗マットを提供する。【解決手段】在来の育苗箱２枚分弱の長さになるロング育苗箱１に籾殻苗マット２を二枚を敷きこみ，ロング育苗箱１と接する短辺の端を数〜十数ｃｍ切除し育苗培土３を充填し籾殻苗マット２と表面が水平になるよう均し、これらの表面に播種し腐植する資材を敷き固定し、腐植する資材の端は籾殻苗マット２、育苗培土３の端部を包み整形・補強した苗代培土代替軽量籾殻苗マット。【選択図】図１
2017136053.tif 000002
【特許請求の範囲】
【請求項１】
籾殻マット前端部に、苗代培土部を設けた前端部重量付与苗代培土代替軽量籾殻苗マット
【発明の詳細な説明】
【技術分野】
【０００１】  本発明は、苗代培土代替軽量苗マット（籾殻苗マット）の稲苗を円筒状のロール苗として巻き取り、これを（稲苗）乗用田植機に搭載し、搭載したロール苗を解舒し、乗用田植機の植え付け面（苗のせ台）上に展開し、先に解舒、田植機の植え付け面に展開したロール苗（籾殻苗マット）の後端部と前端部重量付与苗代培土代替軽量苗マットを正確に接合して、変形・移動を防ぎ、乗用田植機の移植爪で、稲苗を正しくかきとり、代掻き後の田に正しく植え付ける方法に関する。
【発明の概要】
【０００２】  この発明は、在来より長い育苗箱に、籾殻苗マット・ロックウールシート・連続気泡尿素樹脂シート・木材パルプ成形シート等の苗代培土代替軽量苗マットを敷き、覆土は省き、
2017136053.tif 000003
絡ませて固定する、特許第３４８６５２号による籾殻苗マットを用いる。
この苗代培土代替軽量苗マットの先端部分には、保水性のある稲苗培土を充填し、前端部重量付与苗代培土代替軽量苗籾殻マットとして育苗し、完成する。
【発明が解決しようする課題】
【０００３】  籾殻苗マットを乗用田植機の植え付け面（苗のせ台）に展開した場合、摺動する苗かきとり面への苗の粘着は、ロックウール苗マット等には、起こらないが、先に下部に解舒、田植機の植え付け面に展開した苗代培土代替軽量苗籾殻マットロール苗の後端部と、追加した籾殻苗マット前端部との接合が不良となり、欠株が生じる。
【課題を解決するための手段】
【０００４】  欠株が生じる原因は、先に田植機の植え付け面に展開した籾殻苗マットの後端部と、追加補充した籾殻苗マット前端部との接合が軽く、不良となるため、欠株が生じる
2017136053.tif 000004
苗代培土は、保水性のある造粒した土で作られ、一般的には、造粒床土・育苗培土・培土と呼ばれる。これに水をかけると、土粒が相互に結着して板状となり剛性をあらわす。
水を含んだ苗代培土苗マットは、籾殻苗マットより数倍重く、板状の剛性を持ち、籾殻苗マットの上記の欠株を無くす性質を持つ。
後から水を含んだ育苗培土苗マットを籾殻苗マットの田植機に追加補充した場合、下の
2017136053.tif 000005
なり、移動・変形しやすい。
本発明は、下の籾殻苗マットの数センチ長さの残部の変動・変形と、変形部かきとり過大による不整形化を防ぎ、稲苗を正しくかきとり、代掻き後の田に正しく植え付ける、きちんとした整列植え付け可能にする。
図をもって説明すれば、図１の１はロング育苗箱で、在来の育苗箱２枚の短辺のひとつを除いて合せ、合せ部分上面縁に断面がコの字型の金具４を被せ、ブラインドリベット又はセルフタッピン螺子・リベットっ等６で図２のように止める。出来あがったロング育苗箱１は、在来の育苗箱２枚分１２０ｃｍ弱の長さになる
このロング育苗箱１に籾殻苗マットを二枚を敷きこみ，下一枚のロング育苗箱と接する短辺の端を数〜十数ｃｍ切除する。切除形式は、図３の斜め・ハト目・又は垂直等どちらでも良い。
ここに育苗培土３を充填し籾殻苗マット２と表面が水平になるよう均す。
2017136053.tif 000006
いて，播種した種籾７の棘毛・禾を絡ませて固定する。
2017136053.tif 000007
育苗培土３の端部を包み、整形・補強する。
種籾７の根は、図３のようにッ籾殻苗マト２と育苗培土３を貫通して、ロング育苗箱部に底部に敷いたポリエチレンフィルム等の根切りシート１０に遮られ、絨毯状のルートマット９になる。
籾殻苗マット２と育苗培土３は、ルートマット９により結合する。
【発明の効果】
【０００５】  先に特願２０１−８７７３５号「ロール苗搭載田植機と内部導光ロール苗」で、籾殻苗マットを乗せ・良好接合を図るロング苗取板を出願したが、本発明で不要となる。
このように、ロール苗搭載田植機の下位搭載の籾殻苗マットの数センチ長さのかきとり残部の変動・変形と、変形部かきとり過大による不整形化を防ぎ、稲苗を正しくかきとり、代掻き後の田に正しく植え付ける、きちんとした整列植え付け可能にする。
【図面の簡単な説明】
【０００６】図１はロング育苗箱で本発明により稲育苗中の斜視図
図２は図１のＡ−Ｂ線の断面図
図３は図１のＣ−Ｄ線の断面図
【発明を実施するための形態】
【０００７】  籾殻苗マット前端部に苗代培土部を設けた、前端部重量付与苗代培土代替軽量籾殻苗マット
【符号の説明】
【０００８】１はロング育苗箱
２は籾殻苗マット
３は充填した育苗培土
４は止め金具
５はロング育苗箱の長辺の一つの縁
６はブラインドリベット。
７は種籾
2017136053.tif 000008
９は絨毯状のルートマット
１０は根切りシート
１１はロング育苗箱の水抜き穴
【図１】
2017136053.tif 000009
【図２】
2017136053.tif 000010
【図３】
2017136053.tif 000011
(57)【要約】【課題】低コストで溶接開始位置を調整できる溶接機を提供する。【解決手段】溶接機１は、本体２と、本体２に対してスライド可能な電極ホルダ６と、電極ホルダ６に固定された電極３と、電極ホルダ６に固定されたレーザーマーカー４とを備えている。レーザーマーカー４は、電極３の長さ方向に延びる仮想的な延長線Ｅが鋼板５の表面と交差する位置にレーザーＬを照射するように方向付けられている。【選択図】図１
2017136621.tif 000002
【特許請求の範囲】
【請求項１】
複数の被溶接部材を溶接する溶接機であって、
該溶接機は、
本体と、
該本体に対してスライド可能な電極と、
該電極とともに前記本体に対してスライド可能であり、前記電極の長さ方向に延びる仮想的な延長線が前記被溶接部材の表面と交差する位置を示す指示部と
を備える溶接機。
【請求項２】
前記指示部は、前記交差する位置にレーザーを照射するレーザーマーカーである、請求項１に記載の方法。
【発明の詳細な説明】
【技術分野】
【０００１】
この発明は、溶接機に係り、特に、鋼板と鋼板とをスポット溶接する溶接機に関する。
【背景技術】
【０００２】
特許文献１には、溶接ロボットを用いて自動的に溶接を行う発明が記載されている。溶接ロボットに対して被溶接部材にズレ等があると、溶接開始位置がずれてしまい、適切な個所に溶接を施すことができなくなってしまう。このため、特許文献１に記載の発明では、ワイヤタッチセンサ機能とワイヤ突き出し長さの制御機能を溶接ロボットに持たせることにより、被溶接部材の端部、すなわち溶接開始位置を検出している。
【先行技術文献】
【特許文献】
【０００３】
【特許文献１】特許第２６８２７９２号公報
【発明の概要】
【発明が解決しようとする課題】
【０００４】
しかしながら、ワイヤタッチセンサは非常に高価なため、溶接装置が非常に高価なものになってしまうといった問題点があった。
【０００５】
この発明はこのような問題点を解決するためになされたもので、低コストで溶接開始位置を調整できる溶接機を提供することを目的とする。
【課題を解決するための手段】
【０００６】
この発明に係る溶接機は、複数の被溶接部材を溶接する溶接機であって、この溶接機は、本体と、本体に対してスライド可能な電極と、電極とともに本体に対してスライド可能であり、電極の長さ方向に延びる仮想的な延長線が被溶接部材の表面と交差する位置を示す指示部とを備える。
指示部は、交差する位置にレーザーを照射するレーザーマーカーであってもよい。
【発明の効果】
【０００７】
この発明によれば、指示部が、電極の長さ方向に延びる仮想的な延長線が被溶接部材の表面と交差する位置を示すことにより、指示部が示す位置を溶接開始位置に調整すれば、電極が溶接開始位置の真上に位置することになるので、低コストで電極を溶接開始位置に調整することができる。
【図面の簡単な説明】
【０００８】
【図１】この発明の実施の形態に係る溶接機の概略構成図である。
【図２】この実施の形態に係る溶接機の電極を溶接開始位置に調整する方法を説明するための図である。
【発明を実施するための形態】
【０００９】
以下、この発明の実施の形態を添付図面に基づいて説明する。
図１に、この発明に係る溶接機１の概略構成図を示す。溶接機１は、本体２と、本体２に対してスライド可能な電極ホルダ６と、電極ホルダ６に固定された電極３と、電極ホルダ６に固定された指示部であるレーザーマーカー４とを備えている。レーザーマーカー４は、電極３の長さ方向に延びる仮想的な延長線Ｅが、被溶接部材である鋼板５の表面と交差する位置にレーザーＬを照射するように方向付けられている。電極ホルダ６が本体２に対してスライドすることで、電極ホルダ６に固定された電極３が本体２に対してスライドするようになっている。
【００１０】
次に、この発明に係る溶接機の電極を溶接開始位置に調整する方法について説明する。
図２には、溶接動作の各ステップにおける電極３（図１参照）の位置をわかりやすくするために電極３及び電極ホルダ６は描かれておらず、電極３がとり得る位置（Ａ〜Ｄ）のみが描かれている。溶接機１の起動前は、電極３は原点位置Ａにある。溶接機１の起動後、電極３は、原点位置Ａよりも鋼板５に近い位置である待機位置Ｂに自動的に移動する。
【００１１】
次に、鋼板５を溶接機１に供給し、２枚の鋼板５の端部が重なり合った状態にする。鋼板５を供給後、レーザーマーカー４（図１参照）がレーザーＬ（図１参照）を照射する。レーザーマーカー４がレーザーＬを照射後、電極３は、待機位置Ｂから鋼板５の方向に向かって距離ｂだけ離れた位置である暫定溶接開始位置Ｃに自動的に移動する。ここで、距離ｂとは、溶接機１内において鋼板５にずれがない場合に電極３が待機位置Ｂから距離ｂだけ移動すると適切な溶接開始位置となる距離を意味する。
【００１２】
しかしながら実際は、溶接機１において鋼板５がずれている場合が多いので、暫定溶接開始位置Ｃと真の溶接開始位置Ｄとは、ずれている場合が多い。暫定溶接開始位置Ｃと溶接開始位置Ｄとがずれていることは、レーザーＬによって示された位置が溶接開始位置Ｄからずれていることから、作業者は容易に認識することができる。その後、作業者は手動で、電極３を暫定溶接開始位置Ｃから溶接開始位置Ｄに移動する。この際、レーザーＬによって示された位置が溶接開始位置Ｄとなるように電極３を動かすことにより、電極３が溶接開始位置Ｄの真上に位置するようになるので、容易に電極３を溶接開始位置Ｄに調整することができる。その後、電極３が溶接開始位置Ｄから所定の幅Ｗだけ自動的に溶接を行う。
【００１３】
このように、レーザーマーカー４が、電極３の長さ方向に延びる仮想的な延長線Ｅが鋼板５の表面と交差する位置を示すことにより、レーザーマーカー４が示す位置を溶接開始位置Ｄに調整すれば、電極３が溶接開始位置Ｄの真上に位置することになるので、低コストで電極３を溶接開始位置に調整することができる。
【００１４】
この実施の形態では、指示部は、レーザーＬを照射するレーザーマーカー４であったが、この形態に限定するものではない。延長線Ｅが鋼板５の表面と交差する位置を示すような棒状の部材等を電極ホルダ６に固定したものを指示部としてもよい。
【００１５】
この実施の形態では、溶接機１の起動前に電極３が、待機位置Ｂとは異なる原点位置Ａに位置していたが、この形態に限定するものではない。溶接機１の起動前後で電極３は待機位置Ｂのままであってもよい。
【符号の説明】
【００１６】
１  溶接機、２  本体、３  電極、４  レーザーマーカー（指示部）、５  鋼板（被溶接部材）、Ｅ  延長線、Ｌ  レーザー。
【図１】
2017136621.tif 000003
【図２】
2017136621.tif 000004
(57)【要約】      （修正有）【課題】フランジ接続の配管の取り付け、およびガスケット交換等において、フランジの食い違いを合わせる。【解決手段】Ｌ形アーム１の一辺の先端部に、片側に突出する丸棒２を設け、他辺には、両先端部と中央部付近に貫通ネジ穴３Ｃ等を穿設するとともに、該貫通ネジ穴に３Ｃ等二本のボルト４ａ、４ｂを螺着させたフランジ合わせ治具。【選択図】図１
2017094481.tif 000002
【特許請求の範囲】
【請求項１】
Ｌ形アームの一辺の先端部に、片側に突出する丸棒を設け、他辺には、両先端部と中央部付近に貫通ネジ穴を穿設するとともに、該貫通ネジ穴に二本のボルトを螺着させたフランジ合わせ治具。
【発明の詳細な説明】
【技術分野】
【０００１】  この発明は、フランジ接続の配管の取り付け、およびガスケット交換等において、フランジの食い違いを合わせるため、Ｌ形アームに取り付けた丸棒をフランジのボルト穴に挿入して固定し、もう一方のフランジの側面をボルトで押して合わす治具に関するものである。
【背景技術】
【０００２】  従来は、フランジ接続部のフランジの食い違いを合わせるため、ボルト穴に工具の柄や、Ｌ形に曲げた丸棒を差し込んだり、工具の柄を打ち込んで回転させたりして合わせていた。また、大きな力が必要な時や、大きく食い違ってボルト穴が利用できない時は、チエンブロック等を使用して配管自体を寄せていた。
【発明の概要】
【発明が解決しようとする課題】
【０００３】  これらは次のような欠点があった。
ボルト穴に工具の柄や、Ｌ形に曲げた丸棒を差し込んだり、工具の柄を打ち込んで回転させたりして合わせる方法は、合わせる力が小さいため、一人が合わせて、もう一人がボルトを締めるという二人作業も多々あった。まれに、ボルト穴に差し込んだ工具が外れることがあり、高所における作業の安全性に問題があった。合わせるのに人力では無理な時や、大きく食い違ってボルト穴が利用できない場合は、チエンブロック等を使用して配管自体を寄せていたが、この作業は、チエンブロック等をかける所が必要で、作業、段取り、片付けに手間がかかっていた。
本発明は、これらの欠点を除くためになされたものである。
【課題を解決するための手段】
【０００４】  上記の欠点を除くため、Ｌ形アーム（１）の一辺の先端部に、片側に突出する丸棒（２）を設け、他辺には、両先端部と中央部付近に貫通ネジ穴（３ａ），（３ｂ），（３ｃ）を穿設するとともに、該貫通ネジ穴（３ａ），（３ｂ），（３ｃ）に二本のボルト（４ａ），（４ｂ）を螺着させたフランジ合わせ治具を考案した。
【発明の効果】
【０００５】  フランジ接続の配管の取り付け、およびガスケット交換等において、フランジの食い違いを合わせるため、工具の柄や、Ｌ形に曲げた丸棒をボルト穴に差し込んだり、工具の柄を打ち込んで回転させたりする事なく、フランジのボルト穴にＬ形アームに取り付けた丸棒を挿入して、固定ボルトで固定し、もう一方のフランジの側面を押しボルトで押す方法で、ネジを利用した大きな力でフランジを合わす事ができる。これにより、作業が非常に楽になり、完全に一人での作業が可能になる。フランジのボルト穴が大きくなっても使用でき、段取り、作業、片付けに手間がかかるチエンブロック等を使用しなければできなった作業も、それ無しでできる。また、複数個使用すれば、より強力に、より正確に合わせられ、特に、狭所においては有効である。
以上により、フランジ合わせ作業の軽減、作業者数の削減、作業時間の短縮、および安全性の向上からコストダウンを図る事ができる。
【発明を実施するための最良の形態】
【０００６】  以下、本発明を実施するための最良の形態について説明する。
Ｌ形アーム（１）の一辺の先端部にフランジ（Ａａ）のボルト穴に挿入する丸棒（２）を片側が突出するように設ける。他辺には、両先端部と中央部付近に貫通ネジ穴（３ａ），（３ｂ），（３ｃ）を穿設し、貫通ネジ穴（３ａ）に固定ボルト（４ａ）を、貫通ネジ穴（３ｂ），（３ｃ）の何れかに押しボルト（４ｂ）を螺着させ、固定ボルト（４ａ）、押しボルト（４ｂ）には、それぞれ、ボルトの頭（６ａ），（６ｂ）、および工具止め（５ａ），（５ｂ）が付いている。丸棒（２）と固定ボルト（４ａ）でフランジ（Ａａ）に固定し、他方のフランジ（Ａｂ）の側面を押しボルト（４ｂ）で押すフランジ合わせ治具
【実施例】
【０００７】  本発明は以上のような構造で、図４に示すように、配管（Ｂａ），（Ｂｂ）に取り付けられたフランジ（Ａａ），（Ａｂ）のフランジ合わせについて説明する。フランジ（Ａａ）の一番大きく食い違っている所の近くのボルト穴に丸棒（２）を挿入し、アーム（１）とフランジ（Ａａ）が密着するように手で押さえながら、固定ボルト（４ａ）のボルト頭（６ａ）を工具で回転させてフランジ（Ａａ）に固定させる。この時、工具止め（５ａ）により容易に回転させることができる。フランジ（Ａｂ）の位置に合わせて、貫通ネジ穴（３ｂ），（３ｃ）の何れかを選択し、押しボルト（４ｂ）を螺着させる。フランジ（Ａａ），（Ａｂ）の合い具合を確認しながら、ボルト頭（６ｂ）を工具で回転させる。合わせたらフランジにボルトを挿入し、二本以上、対角に締める。固定ボルト（４ａ）および押しボルト（４ｂ）を逆回転させてフランジ（Ａａ）から取り外す。また、一番大きく食い違っている所を中心に二個を配置すれば、より強力に、より正確に合わすことができる。
【図面の簡単な説明】
【０００８】
【図１】本発明の斜視図
【図２】本発明の正面図
【図３】本発明の側面図
【図４】本発明の作業前の斜視図
【図５】本発明を固定した斜視図
【図６】本発明のフランジ合わせ完了の斜視図
【図７】本発明のフランジ合わせ完了の側面図
【符号の説明】
【０００９】１…Ｌ形アーム
２…丸棒
３ａ，３ｂ，３ｃ…貫通ネジ穴
４ａ…固定ボルト
４ｂ…押しボルト
５ａ，５ｂ…工具止め
６ａ，６ｂ…ボルト頭
Ａａ，Ａｂ…フランジ
Ｂａ，Ｂｂ…パイプ
【図１】
2017094481.tif 000003
【図２】
2017094481.tif 000004
【図３】
2017094481.tif 000005
【図４】
2017094481.tif 000006
【図５】
2017094481.tif 000007
【図６】
2017094481.tif 000008
【図７】
2017094481.tif 000009
(57)【要約】      （修正有）【課題】眼瞼に密着させ、光熱が眼瞼に効率よく付与された眼瞼用あんぽう器を提供する。【解決手段】赤色ＬＥＤを組み込んだヒーターパッド１の形状を、眼瞼３に合わせた立体的なデザインにすることで、眼瞼に密着させて赤色ＬＥＤ２の光熱を効率良く眼瞼の皮膚内に吸収させる。これにより、従来の治療時間５分を１分に短縮することができるとともに、温熱効果だけでなく眼瞼皮膚への水分補給にもなる。【選択図】図１
2017094013.tif 000002
【特許請求の範囲】
【請求項１】
眼瞼の温熱治療に用いるピ−ク波長が６３０ｎｍ〜７５０ｎｍの赤色ＬＥＤの光熱を、軟質のスポンジ材２枚を組み合わせて眼瞼に密着させる形状にすることで、従来の治療時間を５分の一に短縮できるとともに、眼瞼皮膚の水分補給にもなるＡＣ電源又は電池を電源とする眼瞼用あんぽう器。
【発明の詳細な説明】
【技術分野】
【０００１】  本発明は、眼瞼用あんぽう器に関する。
【背景技術】
【０００２】  従来の眼瞼用あんぽう器で光熱を利用したものは、近赤外線の波長を用いたものからピーク波長が６３０ｎｍ〜７５０ｎｍの赤色光を用いたものに移行している。（例えば、非特許文献１）
また、加湿機能を持たせたドライアイ用加湿あんぽう器がある。（例えば、特許文献１）
【非特許文献１】  商品名「アイホットＲ」  広告掲載誌  日本の眼科  ８６：４号（２０１５）ｐ５６８
【特許文献１】  特願２０１０−２６０５５５
【発明の開示】
【発明が解決しようとする課題】
【０００３】  従来の眼瞼用あんぽう器は、眼鏡の内側に赤色ＬＥＤを組み込んだヒーターパッドを取り付けて、眼瞼を光熱で温める構造になっている。ただ、ヒーターパッドの眼瞼に当たる面が眼鏡のグラスの面と平行になっているため、眼瞼との間に隙間が生じている。このため、光熱が眼瞼に届かず無駄に消費され、効率的ではなかった。【０００４】  本発明は、このような従来の手段を改善し、効率化させることを目的とするものである。
【課題を解決するための手段】
【０００５】  本発明は上記目的を達成するために、赤色ＬＥＤを基板に実装したヒーターパッドの形状を軟質のスポンジ材２枚を用いて眼瞼に合わせた立体的なデザインにすることで、ヒーターパッドと眼瞼との密着を高めるようにしたものである。【０００６】  また、第２の解決手段は、ヒーターパッドの厚さを薄くすることでメガネに取り付けられるようにしたものである。【０００７】  上記第１の課題解決手段による作用は次の通りである。すなわち、ヒーターパッドを柔らかい素材で眼球の形状に合わせた立体的なデザインにすることにより、眼瞼に密着させて赤色ＬＥＤの光熱を効率よく眼瞼皮膚内に吸収させることができる。【０００８】  また、第２の問題解決手段による作用は、光熱の皮膚への温熱効率を良くすることで従来の治療時間の５分を１分に短縮できる。これにより、眼科医院での治療だけでなく家庭やオフィスでも素早く治療することができる。
【発明の効果】
【０００９】  上述したように本発明の密着型眼瞼あんぽう器は、血流計による治療効果テストの結果から従来の治療時間５分を１分に短縮することができる。また、水分計による眼瞼皮膚のテスト結果から血流増に伴う水分量の増加が認められた。これにより、眼瞼の温熱治療だけでなく、水分補給にもなる密着型眼瞼あんぽう器を提供することがでる。
【発明を実施するための最良の形態】
【００１０】以下、本は発明の実施の形態を図１に基いて説明する。【００１１】  図においては、１はヒーターパッドで、赤色ＬＥＤ２を基板に実装したものを軟質のスポンジ材で覆ったものである。眼鏡３にヒーターパッド１を取り付け、スイッチボックス４を電源とする構造になっている。【００１２】  ヒーターパッド１はピーク波長７００ｎｍの赤色ＬＥＤ２を１０本基板に実装し、断熱性のあるスポンジ材で覆ったものである。スイッチボックス４は、ＡＣアダプター（図示せず）に接続され、１分間タイマーによる電源のオンオフをコントロールする。【００１３】  ヒーターパッド１は、断熱性のあるスポンジ材２枚を組み合わせることで、眼球の形状に合わせた立体的なデザインにすることができる。これにより、ヒーターパッド１の装着時に外光が入らない遮光状態になり、赤色ＬＥＤの光熱を効率良く眼瞼の皮膚内に吸収させることが可能になる。【００１４】  スイッチボックス４は、携帯用の電池ボックスとして使用することができる。携帯用の電池ボックスとして使用する場合は、１分タイマーと電池残量表示ランプを電池ボックスに組み込むことができる。【００１５】  以上、使用手順について説明する。眼鏡３にヒーターパッド１を取り付けた状態で目に掛け、外光が入らないよう眼鏡３の位置を調整してから、スイッチボックス４のスイッチをオンにする。１分間の治療が終わると自動的に電源がオフになる。
【図面の簡単な説明】
【００１６】
【図１】  本発明の実施状態を示す密着型眼瞼あんぽう器のヒーターパッド斜視説明図
【符号の説明】
【００１７】１  ヒーターパッド
２  赤色ＬＥＤ
３  眼鏡
４  スイッチボックス
【図１】
2017094013.tif 000003
(57)【要約】【課題】  従来、箸置きを使用しないときは紙皿の上に箸を置き、箸置き代わりに使用することがあったため、紙皿が風にあおられると紙皿と共に箸も飛ばされたり、ひっくり返ったりして不衛生であった。【解決手段】  ゴム製の箸置きに切り込みを設け、切り込み部に紙皿の縁を挟み込み固定することにより、風にあおられても紙皿が飛ばされたり、ひっくり返るのを防ぎ、箸も安定して置ける。【選択図】図２
2017094030.tif 000002
【特許請求の範囲】
【請求項１】
ゴム製品に、切り込みを設けた箸置き。
【発明の詳細な説明】
【技術分野】
【０００１】  本発明は、屋外での食事どきに使用することを目的とする。
【発明の概要】
【発明が解決しようとする課題】
【０００２】  従来、箸置きを使用しないときは紙皿の上に箸を置き、箸置き代わりに使用することがあった。【０００３】  しかし、紙皿が風にあおられると、紙皿と共に箸も飛ばされたり、ひっくり返ったりして不衛生であった。【０００４】  従来の箸置きを使用することで箸は安定して置くことができるが、紙皿は不安定のまま。
【発明が解決するための手段】
【０００５】  ゴム製の箸置きに切り込みを設け、切り込み部に紙皿の縁を挟み込み固定することにより、風にあおられても箸置きが錘となり、紙皿が飛ばされたり、ひっくり返るのを防ぎ、箸も安定して置ける。
【図面の簡単な説明】
【０００６】
【図１】  本発明の実態形状を示した図。
【図２】  実施方法を示した説明図。
【発明を実施するための形態】
【０００７】  以下、本発明の実施の形態を図１と図２に基づいて説明する。
【０００８】  図においては、重さ３５ｇ〜４０ｇ内のゴム製の箸置き２が錘となり、隙間０．１ｍｍ以下、深さ１０ｍｍ〜１５ｍｍ内の切り込み部１を３ヶ所程度設け、その高さに合った紙皿３の縁を切り込み部１に挟み込み固定し、箸置き２に箸４を置く。
【符号の説明】
【０００７】  １  切り込み部
２  箸置き
３  紙皿
４  箸
【図１】
2017094030.tif 000003
【図２】
2017094030.tif 000004
【手続補正書】
【提出日】平成29年4月1日(2017.4.1)
【手続補正１】
【補正対象書類名】特許請求の範囲
【補正対象項目名】全文
【補正方法】変更
【補正の内容】
【特許請求の範囲】
【請求項１】
平面視で所定の一方向に沿って長いゴム製の箸置きであって、箸を載せるための載置面を上面に有する載置部と、前記載置部に対して前記一方向側に隣り合い、紙皿を支持する紙皿支持部とを含み、前記紙皿支持部は、前記載置面よりも上方に張り出しており、前記載置部と前記紙皿支持部とは一体に設けられており、前記箸置きは、前記一方向側の側端面を有し、前記紙皿支持部は、前記側端面に設けられた横方向に延びる切り込みを含み、前記切り込みは、上下方向に間隔を空けて複数設けられている箸置き。
【手続補正２】
【補正対象書類名】明細書
【補正対象項目名】０００５
【補正方法】変更
【補正の内容】
【０００５】
平面視で所定の一方向に沿って長いゴム製の箸置きであって、箸を載せるための載置面を上面に有する載置部と、前記載置部に対して前記一方向側に隣り合い、紙皿を支持する紙皿支持部とを含み、前記紙皿支持部は、前記載置面よりも上方に張り出しており、前記載置部と前記紙皿支持部とは一体に設けられており、前記箸置きは、前記一方向側の側端面を有し、前記紙皿支持部は、前記側端面に設けられた横方向に延びる切り込みを含み、前記切り込みは、上下方向に間隔を空けて複数設けられている箸置きである。
ゴム製の箸置きに切り込みを設け、切り込み部に紙皿の縁を挟み込み固定することにより、風にあおられても箸置きが錘となり、紙皿が飛ばされたり、ひっくり返るのを防ぎ、箸も安定して置ける。
(57)【要約】      （修正有）【課題】サッカーの面白さを出来るだけ反映したサッカーゲームを提供する。【解決手段】盤面を縦１６×横９の区画に切り、それぞれの区画を橙、緑、青，黄、赤、桃、紫、黒、茶の９色に色分けする。先行の対戦者がじゃんけんで盤面上のスタート位置にボールを置き指ではじくと試合が開始される。先行する者は普通のサイコロを振り、その出た面まで進むことが出来る。一面が五角形の立方体で、それぞれ橙、緑、青、黄、赤、桃、紫、黒、茶と色分けしたサイコロである五角形立方体を振り、ボールを指で弾き最初のサイコロと次の五角形のサイコロの位置まで進ませることが出来る。ボールがその色の中に入らなかった場合は、対戦者にサイコロと五角形のサイコロを渡し、その対戦者がボールの主導権を持つ。ゴールキーパーは人差し指と中指でゴールを守ることができる。ゴールに入れられる色は決められた色のみとし、ほかの色ではゴールできない。【選択図】図１
2017094022.tif 000002
【特許請求の範囲】
【請求項１】
このゲームの方式は従来まったくない独創的なものである。
盤面を縦１６×横９の区画に切り、それぞれの区画を橙、緑、青，黄、赤、桃、紫、黒、茶の９色に色分けする。この色は特別なゲーム上の意味を有する。
まず、対戦者がじゃんけんで先行を決め、盤面で決められたスタート位置にボールを置き人差し指と中指ではじくと試合が開始される。
先行する者はまず普通のサイコロを振り、その出た面まで進むことが出来る。次に五角形立方体の立方体（これは一面がが五角形の型の立方体で、それぞれ橙、緑、青、黄、赤、桃、紫、黒、茶と色分けしたサイコロ）を振り、どの色が出るかを見て、人差し指と中指でボールを弾き最初のサイコロと次の五角形のサイコロの位置まで進ませることが出来る。
対戦者の一方が弾いたボール（駒）が惜しくもその色の中に入らなかった場合は、もう一方の対戦者にサイコロと五角形のサイコロを渡し、その対戦者がボールの主導権を持ち、サイコロ２つ振って出た数と色に応じて中指と人差し指でボールを弾き自分のゴール目指してボールを進ませることが出来る。
一方がゴールを目指すときは、相手のティームはゴールキーパーが人差し指と中指で守り得点を入れさせない。
このゴールに入れられる色は決められた色のみとし、ほかの色ではゴールできない。
一方のティームが最終的にゴールを入れると１点の得点になる。
ボールはゲームの対戦者が振ったサイコロの数と色ごとに絶えずその位置を変え次第にゴールに近づいてゴールに入ると得点になるのである。
【発明の詳細な説明】
【発明の詳細な説明】
このゲームの特徴はサッカーボールにあたる駒が相手陣営と自己陣営を行ったり来たりすることにより、ゴールに入るまでサッカーの醍醐味を味あうことができ、また最後のゴールキーパーは自己の人差し指と中指で守り、そのゴールを突破することにより得点を得るのである。
まさしくサッカーの魅力とゲームの面白さをミックスしたところにこのゲームの良さがある。
駒にあたる物はサッカーボールに似た形状を持ち盤面において動かせるものであればよいと思う。
さいころの五角形の立方体は、１２面以上ありそこに色分けした９色と別の３色は同じ色を２回使うことになる。
ゲームの開始は双方のじゃんけんにより先攻後攻を決めサイコロと五角形のさいころをふり、盤面指定の位置から始める。交互のさいころのふりにより、進むボールの位置が変わりサイコロの示す位置にボールを入れられなかった場合は相手のボールになり、サイコロを振ってゴールを目指す。ゴールに近づくと得点のチャンスが訪れる。そこでゴールを守る方はここでゴールキーパーの能力を試される。
もちろん、１点を取ればスタート位置に戻り、試合を継続して最終的に制限時間内に多く得点を取った方が勝利を得る。
【図面の簡単な説明】
【図１】（図−１）サッカーゲーム盤
【図２】（図−２）  （図−イ）盤面とゴールの形状  （図−ロ）五角形立方体のサイコロ
【図１】
2017094022.tif 000003
【図２】
2017094022.tif 000004